(57)【要約】【課題】  帽子本体に頭髪落下帽子用頭巾が一体に付設され、着用した状態で、上記頭髪落下防止用頭巾と顔面との間に隙間が発生するのを防止することができて、頭髪の落下を確実に防止しうる帽子を提供する。【解決手段】  帽子本体と、上記帽子本体に一体に付設され、上記帽子本体から露出する頭髪を被覆しうる頭髪落下防止用頭巾部を有し、上記頭髪落下防止用頭巾部は、顔面の前額、こめかみ前方部位、及び首の後部を密着状態で被覆し、内部に頭髪を収納しうるように形成されている。上記頭髪落下防止用頭巾部の上縁部は上記帽子本体の内面部で、上記帽子本体の下縁部より上方位置に接合されている。上記頭髪落下防止用頭巾部の周縁部には伸縮可能な布地からなる弾性部が形成されている。【選択図】  図１
0003112136.tif 000002
【実用新案登録請求の範囲】
【請求項１】
帽子本体と、上記帽子本体に一体に付設され、上記帽子本体から露出する頭髪を被覆しうる頭髪落下防止用頭巾部を有する帽子において、上記頭髪落下防止用頭巾部は、顔面の前額、こめかみ前方部位、及び首の後部を密着状態で被覆し、内部に頭髪を収納しうるように形成されていることを特徴とする帽子。
【請求項２】
上記頭髪落下防止用頭巾部は、上記帽子本体から下方へ垂下するように形成され、上記頭髪落下防止用頭巾部の上縁部は上記帽子本体の内面部で、上記帽子本体の下縁部より上方位置に接合されていることを特徴とする請求項１記載の帽子。
【請求項３】
上記頭髪落下防止用頭巾部は、頭髪が通過不能な微小な間隙を有するネットにより形成され、上記頭髪落下防止用頭巾部の周縁部には伸縮可能な布地からなる弾性部が形成されていることを特徴とする請求項１又は２記載の帽子。
【請求項４】
上記頭髪落下防止用頭巾部における周縁部に設けられた上記弾性部は、着用状態で、顔面の前額、こめかみ前方部位、頬、顎の側部、及び首の後部に沿って配置されるように形成されていることを特徴とする請求項３記載の帽子。
【請求項５】
上記頭髪落下防止用頭巾部の下端部には、上記下端部の両側部位を、顔面を開放した状態で連結可能であって、顎に固定しうる固定紐部が設けられていることを特徴とする請求項１〜３記載の帽子。
【考案の詳細な説明】
【技術分野】
【０００１】
本考案は帽子に係り、特に、着用した状態において頭髪の落下を確実に防止しうる帽子に関する。
【背景技術】
【０００２】
例えば、食品製造工場では、衛生上の観点から、製造工程中に作業者の頭髪が落下して食材に混入することを防止する必要がある。
また、精密機器製造工場でも、製造した機器に不具合が生じないように、作業者の頭髪が落下して機器に付着するのを防止する必要がある。
従って、食品製造工場や精密機器製造工場では、作業者は頭髪を被覆しうる帽子を作業中に被ることが義務づけられている。
【０００３】
上記の目的で形成された従来の帽子は、帽子本体から露出する後頭部及び側頭部の頭髪を被覆しうる頭髪落下防止用頭巾が帽子本体に一体に付設された構造を有するものが多い。
【０００４】
しかしながら、上記従来の帽子は、着用した場合に、上記頭髪落下防止用頭巾と顔面との間に隙間が発生しやすく、上記隙間から頭髪が抜け落ちる可能性があった。
特に、こめかみの辺りは、他の顔や頭部の各部位よりも少し窪んでいるため、上記頭髪落下防止用頭巾と顔面との間に隙間が生じやすい。
【０００５】
本出願人は、上記不具合を解消しうる頭髪落下防止用頭巾付き帽子に関する先行技術について調査したが、関連する先行技術文献を見出すことはできなかった。
【考案の開示】
【考案が解決しようとする課題】
【０００６】
そこで本考案の課題は、帽子本体に頭髪落下帽子用頭巾が一体に付設され、着用した状態で、上記頭髪落下防止用頭巾と顔面との間に隙間が発生するのを防止することができて、頭髪の落下を確実に防止しうる帽子を提供することにある。
【課題を解決するための手段】
【０００７】
上記課題を解決するために、請求項１記載の本考案に係る帽子は、帽子本体と、上記帽子本体に一体に付設され、上記帽子本体から露出する頭髪を被覆しうる頭髪落下防止用頭巾部を有する帽子において、上記頭髪落下防止用頭巾部は、顔面の前額、こめかみ前方部位、及び首の後部を密着状態で被覆し、内部に頭髪を収納しうるように形成されていることを特徴とする。
【０００８】
即ち、請求項１記載の本考案に係る帽子にあっては、上記帽子本体と、上記帽子本体に一体に付設された頭髪落下防止用頭巾部とを有している。
そして、上記頭髪落下防止用頭巾部は内部に頭髪を収納すると共に、顔面の前額、こめかみ前方部位、及び首の後部に密着することにより、これらの部位からの頭髪の落下を防止している。
【０００９】
また、請求項２記載の本考案に係る帽子は、上記頭髪落下防止用頭巾部が、上記帽子本体から下方へ垂下するように形成され、上記頭髪落下防止用頭巾部の上縁部は上記帽子本体の内面部で、上記帽子本体の下縁部より上方位置に接合されていることを特徴とする。
【００１０】
即ち、請求項２記載の本考案に係る帽子にあっては、上記頭髪落下防止用頭巾部の上縁部が上記帽子本体に接合され、上記帽子本体から下方へ垂下するように形成されているが、上記頭髪落下防止用頭巾部の上縁部は上記帽子本体の下縁部に接合されているのではなく、上記帽子本体の下縁部より上方位置に接合されている。これにより、上記頭髪落下防止用頭巾部が上記帽子本体に対し、より緊密にかつ強固に接合されることになる。
【００１１】
また、請求項３記載の本考案に係る帽子は、上記頭髪落下防止用頭巾部が、頭髪が通過不能な微小な間隙を有するネットにより形成され、上記頭髪落下防止用頭巾部の周縁部には伸縮可能な布地からなる弾性部が形成されていることを特徴とする。
【００１２】
即ち、請求項３記載の本考案に係る帽子にあっては、上記ネットにより形成された部位と、上記弾性部とを有している。上記ネットにより形成された部位は頭髪を被覆しうるように形成されているが、ネットの間隙が微小で頭髪が通過不能であることから、ネットを貫通して頭髪が落下することはない。また、上記弾性部は伸縮可能な布地により形成され、上記ネットの周縁部に配置されていることから、上記弾性部が顔の凹凸に柔軟に対応して顔面に密着するので、ネットの周縁部から頭髪が抜け落ちることもない。
【００１３】
また、請求項４記載の本考案に係る帽子は、上記頭髪落下防止用頭巾部における周縁部に設けられた上記弾性部は、着用状態で、顔面の前額、こめかみ前方部位、頬、顎の側部、及び首の後部に沿って配置されるように形成されていることを特徴とする。
【００１４】
即ち、請求項４記載の本考案に係る帽子にあっては、上記弾性部が、着用状態で、顔面の前額、こめかみ前方部位、頬、顎の側部、及び首の後部に沿って配置されることから、上記弾性部は頭髪の生え際に沿ってその外側部位に密着することになり、これらの部位からの頭髪の抜け落ちを防止する。
【００１５】
また、請求項５記載の本考案に係る帽子は、上記下端部の両側部位を、顔面を開放した状態で連結可能であって、顎に固定しうる固定紐部が設けられていることを特徴とする。
【００１６】
即ち、請求項５記載の本考案に係る帽子にあっては、顔面を露出させうる開口部の下端部に設けられた上記固定紐部を連結して顎に係合し、固定することにより、上記頭髪落下防止用頭巾部の周縁部に形成された上記弾性部の密着状態を安定させることができる。これにより、上記弾性部の位置がずれて、頭髪の一部が露出してしまったり、上記頭髪落下防止用頭巾部が外れてしまう不具合を防止することができる。
【考案の効果】
【００１７】
請求項１記載の本考案に係る帽子は、帽子本体と、上記帽子本体に一体に付設され、上記帽子本体から露出する頭髪を被覆しうる頭髪落下防止用頭巾部を有する帽子において、上記頭髪落下防止用頭巾部は、顔面の前額、こめかみ前方部位、及び首の後部を密着状態で被覆し、内部に頭髪を収納しうるように形成されていることから、頭髪が上記頭髪落下防止用頭巾部の内部に収納されると共に、上記頭髪落下防止用頭巾部が顔面の前額、こめかみ前方部位、及び首の後部に密着されることにより、頭髪の落下が上記頭髪落下防止用頭巾部により確実に防止される。
従って、本考案に係る帽子を着用すれば、食品製造工場では、製造工程中に作業者の頭髪が落下して食材への混入を確実に防止できるので、製造ラインを清潔に保つことができる。
また、精密機器製造工場では、作業者の頭髪が落下して機器に付着するのを防止することができるので、製造した機器に不具合が生じる割合が低下し、歩留まりを向上させることができる。
【００１８】
また、請求項２記載の本考案に係る帽子は、上記頭髪落下防止用頭巾部が、上記帽子本体から下方へ垂下するように形成され、上記頭髪落下防止用頭巾部の上縁部は上記帽子本体の内面部で、上記帽子本体の下縁部より上方位置に接合されていることから、上記頭髪落下防止用頭巾部を上記帽子本体の下縁部に接合するよりも、接合を緻密かつ確実に行うことができる。
従って、上記帽子本体と上記頭髪落下防止用頭巾部との接合部に隙間が発生しにくくなるので、上記接合部からの頭髪落下を確実に防止することができる。
【００１９】
また、請求項３記載の本考案に係る帽子は、上記頭髪落下防止用頭巾部が頭髪を通過不能な微小な間隙を有するネットにより形成されていることから、頭髪がネットを通過して落下するのを防止できると共に、ネットの良好な通気性により上記頭髪落下防止用頭巾部の内部が蒸れることを防止して着用感を向上させることができる。
また、上記頭髪落下防止用頭巾部の周縁部には伸縮可能な布地からなる弾性部が形成されていることから、着用した状態では、上記弾性部が上記頭髪落下防止用頭巾部の周縁部を収縮させることにより、上記頭髪落下防止用頭巾部の周縁部を顔面や首等に確実に密着させることができる。これにより、着用状態では、顔面や首等と上記弾性部が形成された上記頭髪落下防止用頭巾部における周縁部との間に隙間が発生するのを防止することができ、その隙間から頭髪が落下するの確実に防止することができる。
【００２０】
また、請求項４記載の本考案に係る帽子は、上記頭髪落下防止用頭巾部における周縁部に設けられた上記弾性部は、着用状態で、顔面の前額、こめかみ前方部位、頬、顎の側部、及び首の後部に沿って配置されるように形成されていることから、前額、こめかみの窪み、頬及び後頭部に密着し、いずれの部位からも頭髪の落下が阻止されるので、上記頭髪落下防止頭巾部の頭髪落下防止機能が完璧で、頭髪落下防止効果が顕著である。従って、食品製造工場や精密機器製造工場等において作業者が安心して着用することができる。
【００２１】
また、請求項５記載の本考案に係る帽子は、上記頭髪落下防止用頭巾部において、顔面を露出させうる開口部の下端部に、上記開口部の両側部位を連結可能で、上記連結状態では顎に係合して固定しうる固定紐部が設けられていることから、上記固定紐部を顎に係合させることにより上記弾性部の顔に対する密着状態が安定し、これにより着用状態の上記頭髪落下防止用頭巾部が外れたり位置ずれしにくくなる。従って、作業者の頭髪が露出して頭髪が落下するのを確実に防止することができる。
【考案を実施するための最良の形態】
【００２２】
以下、図面を用いて本考案の実施の形態について説明する。
本実施の形態に係る帽子１１は、図１〜図３に示すように、帽子本体１２と、上記帽子本体１２に一体に付設され、上記帽子本体１２から露出する頭髪を被覆しうる頭髪落下防止用頭巾部１３を有する帽子であって、上記頭髪落下防止用頭巾部１３は、顔面の前額、こめかみ前方部位、及び首の後部を密着状態で被覆し、内部に頭髪を収納しうるように形成されている。
また、上記頭髪落下防止用頭巾部１３は、図２に示すように、上記帽子本体１２から下方へ垂下するように形成され、上記頭髪落下防止用頭巾部１３の上縁部１４は上記帽子本体１２の内面部で、上記帽子本体１２の下縁部１５より上方位置に接合されている。
また、上記頭髪落下防止用頭巾部１３は、図１及び図３に示すように、頭髪が通過不能な微小な間隙を有するネット１６により形成され、上記頭髪落下防止用頭巾部１３の周縁部には伸縮可能な布地１７からなる弾性部１８が形成されている。
また、上記頭髪落下防止用頭巾部１３における周縁部に設けられた上記弾性部１８は、図１及び図３に示すように、着用状態で、顔面の前額、こめかみ前方部位、頬、顎の側部、及び首の後部に沿って配置されるように形成されている。
また、図３に示すように、上記頭髪落下防止用頭巾部１３において、顔面を露出させうる開口部１９の下端部に、上記開口部１９の下端両側部位を連結可能で、上記連結状態では顎に係合して固定しうる固定紐部２０が設けられている。
【実施例１】
【００２３】
図１及び図２は実施例１に係る帽子１１を示したものである。
本実施例１に係る帽子１１は布製で、図１及び図２に示すように、帽子本体１２がツバ２１を有して、キャップ型に形成されている。
【００２４】
図１及び図２に示すように、上記帽子本体１２には頭髪落下防止用頭巾部１３が一体に付設されている。
【００２５】
上記頭髪落下防止用頭巾部１３は、図１及び図２に示すように、上記帽子本体１２から食み出す頭部の頭髪を内部に収納しうるように略袋状に形成されている。
【００２６】
上記頭髪落下防止用頭巾部１３は、図１及び図２に示すように、顔及び顔を露出させうる開口部１９を有し、上記開口部１９は斜め下方に向かって開口している。
従って、上記開口部１９の周縁部は、顔面の前額、こめかみ前方部位、及び首の後部に密着して、上記帽子本体１２から食み出した頭髪を被覆しうるように形成されている。
【００２７】
また、上記頭髪落下防止用頭巾部１３は、図２に示すように、上記帽子本体１２から下方へ垂下するように形成されている。
【００２８】
上記頭髪落下防止用頭巾部１３の上縁部１４は上記帽子本体１２に接合されている。上記接合位置は、上記帽子本体１２の下縁部１５ではなく、図２に示すように、上記帽子本体１２の内面部で、上記帽子本体１２の下縁部１５より上方位置に接合されている。
即ち、図２に示すように、上記帽子本体１２の内面部における下縁部１５に沿って環状に配置された帯状の内面補強布２２が設けられているが、上記頭髪落下防止用頭巾部１３の上縁部１４は上記内面補強布２２における上縁部の内側に挟まれ、縫着により接合されている。即ち、上記内面補強布２２の幅寸法だけ上記帽子本体１２の下縁部１５より上方位置に接合されている。
【００２９】
上記頭髪落下防止用頭巾部１３は、図１に示すように、頭髪が通過不能な微小な間隙を有するネット１６により形成されている。
【００３０】
上記頭髪落下防止用頭巾部１３の周縁部には、図１に示すように、弾性部１８が形成されている。上記弾性部１８は伸縮可能な布地１７により形成されている。
【００３１】
上記頭髪落下防止用頭巾部１３における周縁部に設けられた上記弾性部１８は、図１に示すように、着用状態で、顔面の前額、こめかみ前方部位、頬、顎の側部、及び首の後部に沿って配置されるように形成されている。
【実施例２】
【００３２】
次に、図３は実施例２に係る帽子１１を示したものである。
本実施例２に係る帽子１１も布製で、図３に示すように、帽子本体１２がツバ２１を有して、キャップ型に形成されている。
【００３３】
図３に示すように、本実施例２に係る帽子１１も、上記帽子本体１２には頭髪落下防止用頭巾部１３が一体に付設されている。
【００３４】
上記頭髪落下防止用頭巾部１３は、図３に示すように、上記帽子本体１２から食み出す頭部の頭髪を内部に収納しうるように略袋状に形成されているが、形状は上記実施例１における上記頭髪落下防止用頭巾部１３とは異なっている。
【００３５】
本実施例２に係る上記頭髪落下防止用頭巾部１３も、図３に示すように、顔を露出させると共に首を貫通させうる開口部１９を有しているが、顔を露出させうる開口部位は前方に向かって開口し、首を貫通させうる開口部位は下方に向かって開口している。
上記頭髪落下防止用頭巾部１３において、顔面を露出させうるように前方に向かって開口した上記開口部１９の下端部には、図３に示すように、上記開口部１９の両側部位を連結可能で、上記連結状態では顎に係合して固定しうる固定紐部２０が設けられている。
【００３６】
上記固定紐部２０と、上記固定紐部２０の連結部位には、着脱可能な雌雄の面ファスナ２３，２４が設けられている。
【００３７】
上記開口部１９の周縁部は、図３に示すように、顔面の前額、こめかみ前方部位、頬、顎及び首の周囲に密着して、上記帽子本体１２から食み出した頭髪を被覆しうるように形成されている。
【００３８】
また、上記頭髪落下防止用頭巾部１３も、図３に示すように、上記帽子本体１２から下方へ垂下するように形成されている。
上記頭髪落下防止用頭巾部１３の上縁部１４は上記帽子本体１２に接合されている。上記接合位置は、上記帽子本体１２の下縁部１５ではなく、図２に示す実施例１と同様に、上記帽子本体１２の内面部で、上記帽子本体１２の下縁部１５より上方位置に接合されている。
【００３９】
上記頭髪落下防止用頭巾部１３は、図３に示すように、頭髪が通過不能な微小な間隙を有するネット１６により形成されている。
また、上記頭髪落下防止用頭巾部１３の周縁部には弾性部１８が形成されている。上記弾性部１８は伸縮可能な布地１７により形成されている。
【００４０】
上記頭髪落下防止用頭巾部１３における周縁部に設けられた上記弾性部１８は、図３に示すように、着用状態で、顔面の前額、こめかみ前方部位、頬、顎の側部、及び首の周囲に沿って配置されるように形成されている。
【００４１】
上記実施例の作用について以下に説明する。
上記実施例に係る帽子１１は、図１〜図３に示すように、帽子本体１２と、上記帽子本体１２に一体に付設され、上記帽子本体１２から露出する頭髪を被覆しうる頭髪落下防止用頭巾部１３を有する帽子において、上記頭髪落下防止用頭巾部１３は、顔面の前額、こめかみ前方部位、及び首の後部を密着状態で被覆し、内部に頭髪を収納しうるように形成されていることから、頭髪が上記頭髪落下防止用頭巾部１３で覆われ、かつ、上記頭髪落下防止用頭巾部１３が顔の所要部位に密着して頭髪の脱出を阻止するので、頭髪の落下が確実に防止される。
【００４２】
また、上記頭髪落下防止用頭巾部１３は、図２に示すように、上記帽子本体１２から下方へ垂下するように形成され、上記頭髪落下防止用頭巾部１３の上縁部１４は上記帽子本体１２の内面部で、上記帽子本体１２の下縁部１５より上方位置に接合されていることから、上記頭髪落下防止用頭巾部１３の接合を緻密かつ確実に行うことができ、これにより、上記帽子本体と上記頭髪落下防止用頭巾部との接合部に隙間が発生することがなく、上記接合部からの頭髪落下を確実に防止することができる。
【００４３】
また、上記頭髪落下防止用頭巾部１３は、図１及び図３に示すように、頭髪が通過不能な微小な間隙を有するネット１６により形成されていることから、頭髪がネット１６を通過して落下しない。また、ネット１６の良好な通気性により上記頭髪落下防止用頭巾部１３の内部が蒸れず、快適に着用することができる。
また、上記頭髪落下防止用頭巾部１３の周縁部には伸縮可能な布地１７からなる弾性部１８が形成されていることから、着用した状態では、上記弾性部１８が上記頭髪落下防止用頭巾部１３の周縁部を収縮させることにより、上記頭髪落下防止用頭巾部１３の周縁部を顔面や首等に確実に密着させる。従って、着用状態では、顔面や首等と上記弾性部１８が形成された上記頭髪落下防止用頭巾部１３における周縁部との間に隙間が発生することがなく、上記隙間からの頭髪の落下を確実に防止する。
【００４４】
また、上記頭髪落下防止用頭巾部１３における周縁部に設けられた上記弾性部１８は、図１及び図３に示すように、着用状態で、顔面の前額、こめかみ前方部位、頬、顎の側部、及び首の後部に沿って配置されるように形成されていることから、上記弾性部１８は頭髪の生え際に沿ってその外側部位に密着することになり、これらの部位からの頭髪の抜け落ちを確実に防止する。
【００４５】
また、図３に示す実施例２のように、上記頭髪落下防止用頭巾部１３において、顔面を露出させうる開口部１９の下端部に、上記開口部１９の両側部位を連結可能で、上記連結状態では顎に係合して固定しうる固定紐部２０が設けられることにより、上記頭髪落下防止用頭巾部１３の周縁部に形成された上記弾性部１８の密着状態が安定し、上記弾性部１８の位置がずれて、頭髪の一部が露出してしまったり、上記頭髪落下防止用頭巾部１３が外れてしまう不具合が解消する。
【産業上の利用可能性】
【００４６】
本考案は、頭髪の落下防止を要求される場所において着用する帽子に適用可能である。
【図面の簡単な説明】
【００４７】
【図１】実施例１に係る帽子の斜視図である。
【図２】図１のＡ−Ａ線における線断面図である。
【図３】実施例２に係る帽子の斜視図である。
【符号の説明】
【００４８】
１１  帽子
１２  帽子本体
１３  頭髪落下防止用頭巾部
１４  頭髪落下防止用頭巾部の上縁部
１５  帽子本体の下縁部
１６  ネット
１７  布地
１８  弾性部
１９  開口部
２０  固定紐部
２１  ツバ
２２  内面補強布
２３  面ファスナ
２４  面ファスナ
【図１】
0003112136.tif 000003
【図２】
0003112136.tif 000004
【図３】
0003112136.tif 000005